【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
複数のシートを含むシート束の中央部分に綴じ処理を実行するとともに該中央部分を基準とした折り処理を実行する製本手段と、
前記製本手段により前記綴じ処理及び前記折り処理が実行されたシート束の背の部分に平坦面を形成する加工処理を実行する加工処理手段と、
前記加工処理手段による加工処理により背の部分に平坦面が形成されたシート束の端部を断裁する断裁処理を実行可能な断裁手段と、
前記断裁手段により断裁される前記シート束の端部の断裁量を操作者の指示に基づいて設定する設定手段と、
前記設定手段により設定された前記断裁量にて前記シート束の端部を断裁するよう前記断裁手段を制御する制御手段とを有し、
前記設定手段は、前記製本手段により前記綴じ処理及び前記折り処理が実行されたシート束の背の部分に前記加工処理が実行される場合は前記断裁量として設定可能な下限量を第１の断裁量とし、前記製本手段により前記綴じ処理及び前記折り処理が実行されたシート束の背の部分に前記加工処理が実行されない場合は前記断裁量として設定可能な下限量を前記第１の断裁量より少ない第２の断裁量とすることを特徴とする製本装置。
【請求項２】
画像データを入力する入力手段と、
前記入力手段により入力される画像データに基づいてシート上に画像を印刷する印刷手段とをさらに有し、
前記製本手段は、前記印刷手段により印刷が行われた複数のシートを含むシート束の中央部分に前記綴じ処理を実行するとともに該中央部分を基準とした前記折り処理を実行することを特徴とする請求項１に記載の製本装置。
【請求項３】
画像データを入力する入力手段と、
前記入力手段により入力される画像データに基づいてシート上に画像を印刷する印刷手段と、
前記印刷手段により印刷が行われた複数のシートを含むシート束の中央部分に綴じ処理を実行するとともに該中央部分を基準とした折り処理を実行する製本手段と、
前記製本手段により前記綴じ処理及び前記折り処理が実行されたシート束の背の部分に平坦面を形成する加工処理を実行する加工処理手段と、
前記印刷手段がシートの同一面上に２つの画像を印刷する場合における該２つの画像の配置間隔を操作者の指示に基づいて設定する設定手段と、
前記設定手段により設定された前記配置間隔にてシートの同一面上に２つの画像を印刷するよう前記印刷手段を制御する制御手段とを有し、
前記設定手段は、前記製本手段により前記綴じ処理及び前記折り処理が実行されたシート束の背の部分に前記加工処理が実行される場合は前記配置間隔として設定可能な下限間隔を第１の間隔とし、前記製本手段により前記綴じ処理及び前記折り処理が実行されたシート束の背の部分に前記加工処理が実行されない場合は前記配置間隔として設定可能な下限間隔を前記第１の間隔より少ない第２の間隔とすることを特徴とする製本装置。
【請求項４】
前記操作者の指示は前記複数のシートのうち前記シート束に含まれる最外部のシートにおける配置間隔と前記シート束に含まれる最内部のシートにおける配置間隔との差分を示すものであり、
前記設定手段は、前記差分に基づいて前記シート束に含まれる各シートにおける配置間隔を設定することを特徴とする請求項３に記載の製本装置。
【請求項５】
前記製本手段は、前記綴じ処理として、前記シート束の中央部分の複数箇所にステイプル処理を実行することを特徴とする請求項１乃至４のいずれか１項に記載の製本装置。
【請求項６】
複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記加工処理手段による加工処理により背の部分に平坦面が形成されたシート束の端部を断裁する断裁処理を実行可能な断裁手段とを有する製本装置を制御する制御装置であって、
前記断裁手段により断裁される前記シート束の端部の断裁量を操作者の指示に基づいて設定する設定手段と、
前記設定手段により設定された前記断裁量にて前記シート束の端部を断裁するよう前記断裁手段を制御する制御手段とを有し、
前記設定手段は、前記製本手段により前記綴じ処理及び前記折り処理が実行されたシート束の背の部分に前記加工処理が実行される場合は前記断裁量として設定可能な下限量を第１の断裁量とし、前記製本手段により前記綴じ処理及び前記折り処理が実行されたシート束の背の部分に前記加工処理が実行されない場合は前記断裁量として設定可能な下限量を前記第１の断裁量より少ない第２の断裁量とすることを特徴とする制御装置。
【請求項７】
印刷が行われた複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段とを有する製本装置を制御する制御装置であって、
画像データを入力する入力手段と、
前記入力手段により入力される画像データに基づいてシート上に画像を印刷する印刷手段と、
前記印刷手段がシートの同一面上に２つの画像を印刷する場合における該２つの画像の配置間隔を操作者の指示に基づいて設定する設定手段と、
前記設定手段により設定された前記配置間隔にてシートの同一面上に２つの画像を印刷するよう前記印刷手段を制御する制御手段とを有し、
前記設定手段は、前記製本手段により前記綴じ処理及び前記折り処理が実行されたシート束の背の部分に前記加工処理が実行される場合は前記配置間隔として設定可能な下限間隔を第１の間隔とし、前記製本手段により前記綴じ処理及び前記折り処理が実行されたシート束の背の部分に前記加工処理が実行されない場合は前記配置間隔として設定可能な下限間隔を前記第１の間隔より少ない第２の間隔とすることを特徴とする制御装置。
【手続補正２】
【補正対象書類名】明細書
【補正対象項目名】発明の名称
【補正方法】変更
【補正の内容】
【発明の名称】製本装置および制御装置
【手続補正３】
【補正対象書類名】明細書
【補正対象項目名】０００１
【補正方法】変更
【補正の内容】
【０００１】
本発明は、スクエアバック処理に対応できるように構成された製本装置および制御装置に関する。
【手続補正４】
【補正対象書類名】明細書
【補正対象項目名】００１２
【補正方法】変更
【補正の内容】
【００１２】
本発明の目的は、スクエアバック処理が可能な製本装置で、断裁の体裁及び／又は印刷の体裁に難のある中綴じ製本印刷物が不用意に作成されてしまうといったオペレータが意図しない新たなトラブルの発生を抑えることができる仕組みを提供することにある。
【手続補正５】
【補正対象書類名】明細書
【補正対象項目名】００１３
【補正方法】変更
【補正の内容】
【００１３】
上記目的を達成するために、本発明は、複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記加工処理手段による加工処理により背の部分に平坦面が形成されたシート束の端部を断裁する断裁処理を実行可能な断裁手段と、前記断裁手段により断裁される前記シート束の端部の断裁量を操作者の指示に基づいて設定する設定手段と、前記設定手段により設定された前記断裁量にて前記シート束の端部を断裁するよう前記断裁手段を制御する制御手段とを有し、前記設定手段は、前記製本手段により前記綴じ処理及び前記折り処理が実行されたシート束の背の部分に前記加工処理が実行される場合は前記断裁量として設定可能な下限量を第１の断裁量とし、前記製本手段により前記綴じ処理及び前記折り処理が実行されたシート束の背の部分に前記加工処理が実行されない場合は前記断裁量として設定可能な下限量を前記第１の断裁量より少ない第２の断裁量とすることを特徴とする。
【手続補正６】
【補正対象書類名】明細書
【補正対象項目名】００１４
【補正方法】変更
【補正の内容】
【００１４】
上記目的を達成するために、本発明は、画像データを入力する入力手段と、前記入力手段により入力される画像データに基づいてシート上に画像を印刷する印刷手段と、前記印刷手段により印刷が行われた複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記印刷手段がシートの同一面上に２つの画像を印刷する場合における該２つの画像の配置間隔を操作者の指示に基づいて設定する設定手段と、前記設定手段により設定された前記配置間隔にてシートの同一面上に２つの画像を印刷するよう前記印刷手段を制御する制御手段とを有し、前記設定手段は、前記製本手段により前記綴じ処理及び前記折り処理が実行されたシート束の背の部分に前記加工処理が実行される場合は前記配置間隔として設定可能な下限間隔を第１の間隔とし、前記製本手段により前記綴じ処理及び前記折り処理が実行されたシート束の背の部分に前記加工処理が実行されない場合は前記配置間隔として設定可能な下限間隔を前記第１の間隔より少ない第２の間隔とすることを特徴とする。
【手続補正７】
【補正対象書類名】明細書
【補正対象項目名】００１５
【補正方法】変更
【補正の内容】
【００１５】
上記目的を達成するために、本発明は、複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段と、前記加工処理手段による加工処理により背の部分に平坦面が形成されたシート束の端部を断裁する断裁処理を実行可能な断裁手段とを有する製本装置を制御する制御装置であって、前記断裁手段により断裁される前記シート束の端部の断裁量を操作者の指示に基づいて設定する設定手段と、前記設定手段により設定された前記断裁量にて前記シート束の端部を断裁するよう前記断裁手段を制御する制御手段とを有し、前記設定手段は、前記製本手段により前記綴じ処理及び前記折り処理が実行されたシート束の背の部分に前記加工処理が実行される場合は前記断裁量として設定可能な下限量を第１の断裁量とし、前記製本手段により前記綴じ処理及び前記折り処理が実行されたシート束の背の部分に前記加工処理が実行されない場合は前記断裁量として設定可能な下限量を前記第１の断裁量より少ない第２の断裁量とすることを特徴とする。
【手続補正８】
【補正対象書類名】明細書
【補正対象項目名】００１６
【補正方法】変更
【補正の内容】
【００１６】
上記目的を達成するために、本発明は、印刷が行われた複数のシートを含むシート束の中央部分に綴じ処理を実行するとともに該中央部分を基準とした折り処理を実行する製本手段と、前記製本手段により前記綴じ処理及び前記折り処理が実行されたシート束の背の部分に平坦面を形成する加工処理を実行する加工処理手段とを有する製本装置を制御する制御装置であって、画像データを入力する入力手段と、前記入力手段により入力される画像データに基づいてシート上に画像を印刷する印刷手段と、前記印刷手段がシートの同一面上に２つの画像を印刷する場合における該２つの画像の配置間隔を操作者の指示に基づいて設定する設定手段と、前記設定手段により設定された前記配置間隔にてシートの同一面上に２つの画像を印刷するよう前記印刷手段を制御する制御手段とを有し、前記設定手段は、前記製本手段により前記綴じ処理及び前記折り処理が実行されたシート束の背の部分に前記加工処理が実行される場合は前記配置間隔として設定可能な下限間隔を第１の間隔とし、前記製本手段により前記綴じ処理及び前記折り処理が実行されたシート束の背の部分に前記加工処理が実行されない場合は前記配置間隔として設定可能な下限間隔を前記第１の間隔より少ない第２の間隔とすることを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明によれば、断裁の体裁及び／又は印刷の体裁に難のある中綴じ製本印刷物が不用意に作成されてしまうといったオペレータが意図しない新たなトラブルの発生を抑えることができる。